(57)【要約】【課題】化粧枠に段差があってもふかし枠を化粧枠に対し強固に固定することのできる内窓を提供する。【解決手段】ふかし枠６は上下左右の枠材からなり化粧枠５の室内端部に固定されるベース枠３０と、ベース枠の各枠材の室内側を覆うカバー材３５とから構成され、ベース枠３０には化粧枠５の内周面と略連続状とされ内枠体２の外周面室内側を載置する内周面部３２ａと、カバー材３５を室内側から取付けるカバー材取付部３２ｂとが形成され、カバー材３５にはベース枠３０の室内面を覆う覆い部３７ｃと、ベース枠のカバー材取付部に取付けられる固着部３７ａとが形成され、ベース枠のカバー材取付部３２ｂとカバー材の固着部３７ａは見込方向に２つ以上の取付段部３２ｃ、３７ｂが形成され、カバー材３５はベース枠３０の各部材に対してそれぞれ見込方向の取付位置を調整自在とされてなる。【選択図】図３
2008031669.tif 000002
【特許請求の範囲】
【請求項１】
建物開口部において外窓の内側周縁部に設けられる化粧枠の室内側に配置され、該化粧枠の室内端部に取付けられるふかし枠と、該ふかし枠及び前記化粧枠の内周面に渡って取付けられる内枠体とを有する内窓において、
前記ふかし枠は上下左右の枠材からなり前記化粧枠の室内端部に固定されるベース枠と、該ベース枠の各枠材の室内側をそれぞれ覆うカバー材とから構成され、
前記ベース枠には前記化粧枠の内周面と略連続状とされ前記内枠体の外周面室内側を載置する内周面部と、前記カバー材を室内側から取付けるカバー材取付部とが形成され、前記カバー材には前記ベース枠の室内面を覆う覆い部と、前記ベース枠のカバー材取付部に取付けられる固着部とが形成され、
前記ベース枠のカバー材取付部と前記カバー材の固着部はいずれかまたは双方に見込方向に２つ以上の取付段部が形成され、前記カバー材は前記ベース枠の各部材に対してそれぞれ見込方向の取付位置を調整自在とされてなることを特徴とする内窓。
【請求項２】
前記取付段部は見込方向に２つ形成され、前記カバー材は前記ベース枠の上下枠材に対しては取付位置が室内側となるように固定され、前記ベース枠の左右枠材に対しては取付位置が室外側となるように固定されることを特徴とする請求項１記載の内窓。
【請求項３】
前記ベース枠は金属材により形成されると共に、前記カバー材は樹脂材により形成されることを特徴とする請求項１または２記載の内窓。
【請求項４】
前記取付段部は前記ベース枠の上下面または内外周面にそれぞれ形成されると共に、前記カバー材の上下面または内外周面にも対応してそれぞれ形成されることを特徴とする請求項１〜３のいずれか１項に記載の内窓。
【請求項５】
前記下面または外周面側の取付段部は前記ベース枠及びカバー材の室外端部近傍に形成されて、前記カバー材は前記ベース枠の下面または外周面を略覆い室外端部近傍で固定されることを特徴とする請求項４記載の内窓。
【発明の詳細な説明】
【技術分野】
【０００１】
本発明は、建物開口部において外窓の内側に設けられる内窓に関し、特に外窓の内側周縁部に設けられる化粧枠を室内側に延長するふかし枠を有する内窓に関する。
【背景技術】
【０００２】
従来から、建物開口部に取付けられる外窓の内側に内窓を設けて二重構造とし、防音性や防犯性及び断熱性の向上を図ったものが知られている。この場合、外窓の内側周縁部には化粧枠が四周に渡って設けられ、その化粧枠の内周面の室内側に内窓を取付けるようにしている。このような内窓としては例えば特許文献１に挙げるようなものがある。
【特許文献１】特許第３４６４７４６号公報
【発明の開示】
【発明が解決しようとする課題】
【０００３】
化粧枠の見込方向寸法が充分にない場合など、外窓と内窓との間隔を充分に取ることができないことがある。この場合、化粧枠の室内端部にふかし枠を固定して化粧枠の内周面を室内側に延長することが行われている。ふかし枠は、内周面が化粧枠の内周面と略面一状となるように形成され、室外面が化粧枠の室内面に当接され固定される。内窓を構成する枠体は、化粧枠及びふかし枠の内周面に渡って取付けられる。
【０００４】
図７には、化粧枠の角部における斜視図を示している。この図には化粧枠５を構成する化粧下枠４１と化粧縦枠４２との突き合わせ部分を示している。化粧枠５は木材により形成され、その角部は削られて面取りがなされており、面取り部４１ａ、４２ａを構成している。また、化粧枠５は化粧下枠４１の端面を化粧縦枠４２の側面に突き合わせて固定することで枠組みがなされる。このため、化粧枠５を構成する化粧下枠４１と化粧縦枠４２とを室内面が面一状となるように突き合わせると、突き合わせ部分において化粧縦枠４２の面取り部４２ａが化粧下枠４１の端面と対向することとなり、意匠性が悪化するため、化粧下枠４１を化粧縦枠４２よりも面取り部４２ａの寸法分だけ室外側にずらして化粧枠５を枠組みするようにしている。なお、化粧上枠についても同様に、化粧縦枠４２よりも室外側にずらして配置される。したがって、化粧枠５は化粧上下枠と化粧縦枠とで室内面に段差が生じる。
【０００５】
このような化粧枠の室内面には段差があるために、ふかし枠を取付けるには段差の高さ分の寸法の違いを何らかの方法で吸収する必要があった。従来は化粧枠の上下枠の室内面にスペーサを設けて、ふかし枠はスペーサを介して固定するようにしていた。しかし、スペーサを介して固定すると、特に大きな荷重がかかる下枠において強度を充分に確保するのが困難であった。
【０００６】
本発明は、上記課題を解決すべくなされたものであり、化粧枠に段差があってもふかし枠を化粧枠に対し強固に固定することのできる内窓を提供することを目的とする。
【課題を解決するための手段】
【０００７】
上記課題を解決するため、本発明に係る内窓は、建物開口部において外窓の内側周縁部に設けられる化粧枠の室内側に配置され、該化粧枠の室内端部に取付けられるふかし枠と、該ふかし枠及び前記化粧枠の内周面に渡って取付けられる内枠体とを有する内窓において、
前記ふかし枠は上下左右の枠材からなり前記化粧枠の室内端部に固定されるベース枠と、該ベース枠の各枠材の室内側をそれぞれ覆うカバー材とから構成され、
前記ベース枠には前記化粧枠の内周面と略連続状とされ前記内枠体の外周面室内側を載置する内周面部と、前記カバー材を室内側から取付けるカバー材取付部とが形成され、前記カバー材には前記ベース枠の室内面を覆う覆い部と、前記ベース枠のカバー材取付部に取付けられる固着部とが形成され、
前記ベース枠のカバー材取付部と前記カバー材の固着部はいずれかまたは双方に見込方向に２つ以上の取付段部が形成され、前記カバー材は前記ベース枠の各部材に対してそれぞれ見込方向の取付位置を調整自在とされてなることを特徴として構成されている。
【０００８】
また、本発明に係る内窓は、前記取付段部は見込方向に２つ形成され、前記カバー材は前記ベース枠の上下枠材に対しては取付位置が室内側となるように固定され、前記ベース枠の左右枠材に対しては取付位置が室外側となるように固定されることを特徴として構成されている。
【０００９】
さらに、本発明に係る内窓は、前記ベース枠は金属材により形成されると共に、前記カバー材は樹脂材により形成されることを特徴として構成されている。
【００１０】
さらにまた、本発明に係る内窓は、前記取付段部は前記ベース枠の上下面または内外周面にそれぞれ形成されると共に、前記カバー材の上下面または内外周面にも対応してそれぞれ形成されることを特徴として構成されている。
【００１１】
そして、本発明に係る内窓は、前記下面または外周面側の取付段部は前記ベース枠及びカバー材の室外端部近傍に形成されて、前記カバー材は前記ベース枠の下面または外周面を略覆い室外端部近傍で固定されることを特徴として構成されている。
【発明の効果】
【００１２】
本発明に係る内窓によれば、ふかし枠は化粧枠の室内端部に固定されるベース枠と、ベース枠の各枠材の室内側をそれぞれ覆うカバー材とから構成され、ベース枠のカバー材取付部とカバー材の固着部はいずれかまたは双方に見込方向に２つ以上の取付段部が形成され、カバー材はベース枠の各部材に対してそれぞれ見込方向の取付位置を調整自在とされてなることにより、枠材毎にふかし枠の見込方向幅を調整することができるので、化粧枠に上下と左右で段差がある場合にその分の寸法をふかし枠で吸収することができ、したがってベース枠を化粧枠に対しスペーサ等を介することなく直接固定することができるので、ふかし枠の納まりを良好にしつつ化粧枠に対し強固に固定することができる。
【００１３】
また、本発明に係る内窓によれば、取付段部は見込方向に２つ形成され、カバー材はベース枠の上下枠材に対しては取付位置が室内側となるように固定され、ベース枠の左右枠材に対しては取付位置が室外側となるように固定されることにより、ふかし枠において化粧枠の面取りによる段差を吸収することができる。
【００１４】
さらに、本発明に係る内窓によれば、ベース枠は金属材により形成されると共に、カバー材は樹脂材により形成されることにより、ふかし枠の内観を向上させることができる。
【００１５】
さらにまた、本発明に係る内窓によれば、取付段部はベース枠の上下面または内外周面にそれぞれ形成されると共に、カバー材の上下面または内外周面にも対応してそれぞれ形成されることにより、カバー材をベース枠に対して強固に固定することができる。
【００１６】
そして、本発明に係る内窓によれば、下面または外周面側の取付段部はベース枠及びカバー材の室外端部近傍に形成されて、カバー材はベース枠の下面または外周面を略覆い室外端部近傍で固定されることにより、カバー材によりベース枠を室内側に露出させないようにすることができて、内観をより向上させることができる。
【発明を実施するための最良の形態】
【００１７】
本発明の実施形態について、図面に沿って詳細に説明する。図１は本実施形態における内窓を有したサッシ全体の縦断面図、図２はサッシ全体の横断面図である。サッシ全体の構成は、建物開口部に外窓５０を取付け、その室内側に内窓１を設けて二重構造としてなるものである。ここで、図１及び図２においては、外窓５０は外側枠体５１のみを示し、その内部に納められる障子については省略している。
【００１８】
外窓５０は、方形状に枠組みされた外側枠体５１内に、外側内障子（図示しない）と外側外障子（図示しない）とを引き違い状に納めてなるものであり、一般的なサッシの構成と同様のものである。外側枠体５１は、外側上枠５２と外側下枠５３及び左右の外側縦枠５４、５４とを方形状に枠組みしてなるものである。また、外窓５０の室内側には木材からなる化粧枠５が設けられており、化粧枠５の室内側端部付近に内窓１が取付けられる。
【００１９】
化粧枠５は、外側上枠５２の室内側に化粧上枠４０が、外側下枠５３の室内側に化粧下枠４１が、外側縦枠５４の室内側に化粧縦枠４２が、それぞれ配置される。また、化粧枠５の室内側には四周に渡ってふかし枠６が取付けられており、これによって化粧枠５の内周面を室内側に延長している。内窓１は、その外周面が化粧枠５の内周面からふかし枠６の内周面に渡るように配置され、固定されている。
【００２０】
ふかし枠６は、化粧枠５の室内端部に固定される金属製のベース枠体３０と、ベース枠体３０の室内側に取付けられる樹脂製のカバー材３５とから構成されている。ベース枠体３０は、上ベース枠３１と下ベース枠３２及び左右の縦ベース枠３３、３３とからなり、カバー材３５は、上カバー材３６と下カバー材３７及び左右の縦カバー材３８、３８とからなっている。
【００２１】
内窓１は、前述のふかし枠６と、化粧枠５からふかし枠６に渡って取付けた枠体２と、その内部に引き違い状に納められる内障子３と外障子４とからなるものである。枠体２は、いずれも樹脂材からなる上枠１０と下枠１１及び左右の縦枠１２、１２を方形状に枠組みして構成される。また、内障子３及び外障子４は、いずれも樹脂材からなる上框２０と下框２１、枠側に配置される縦框である枠側縦框２２及び召合せ側に配置される縦框である召合せ框２３を方形状に框組みしてなる框体７にガラス体８を納めて構成され、枠体２内において長手方向に走行自在となるように納められる。
【００２２】
次に、ふかし枠６の詳細について説明する。図３には内窓１の下枠１１側に取付けられるふかし枠６の拡大図を、図４には内窓１の縦枠１２側に取付けられるふかし枠６の拡大図を、それぞれ示している。
【００２３】
図３に示すように、下ベース枠３２は断面略コ字状に形成され、その室外面は化粧下枠４１の室内面に当接し、ネジ止め固定されている。また、下ベース枠３２の上面、すなわち内周面は、化粧下枠４１の内周面と略面一状とされた内周面部３２ａとされている。内窓１の下枠１１は、外周面の室内側端部近傍が内周面部３２ａに当接し、載置されている。
【００２４】
下ベース枠３２の室内側には、下カバー材３７を取付けるためのカバー材取付部３２ｂが形成されている。カバー材取付部３２ｂは、下ベース枠３２の上面と下面にそれぞれ形成されており、いずれも見込方向に２つの取付段部３２ｃ、３２ｃが形成されている。また、下ベース枠３２の上面側のカバー材取付部３２ｂは室内側端部に形成され、下ベース枠３２の下面側のカバー材取付部３２ｂは室外側端部に形成される。したがって、カバー材取付部３２ｂに取付けられる下カバー材３７は、上面側は下ベース枠３２の室内側端部付近に固定され、下面側は下ベース枠３２の室外側端部付近に固定されるので、下ベース枠３２の上面である内周面部３２ａは内窓１の下枠１１を載置できるように露出する一方、下ベース枠３２の下面は下カバー材３７により略覆われて、内観を良好とするようにしている。
【００２５】
下カバー材３７は、下ベース枠３２の室内側を覆う覆い部３７ｃを有すると共に、下ベース枠３２の上面及び下面にそれぞれ形成されたカバー材取付部３２ｂに係合する固着部３７ａ、３７ａを上面及び下面にそれぞれ有している。上面側の固着部３７ａには、１つの取付段部３７ｂが形成されており、下面側の固着部３７ａには、見込方向に２つの取付段部３７ｂが形成されている。
【００２６】
下カバー材３７は下ベース枠３２に対して見込方向に２通りに係合することができる。すなわち、下カバー材３７の上面側の取付段部３７ｂは下ベース枠３２の上面側に形成された２つの取付段部３２ｃ、３２ｃのいずれかに係合させることができ、また下カバー材３７の下面側に形成された２つの取付段部３７ｂ、３７ｂは、いずれかが下ベース枠３２の下面側に形成された２つの取付段部３２ｃ、３２ｃに係合することができる。これによって、ふかし枠６の見込方向長さを、各部材毎に２通りに調整することができる。
【００２７】
実際の下ベース枠３２と下カバー材３７は以下のように固定されている。下カバー材３７の上面側では、取付段部３７ｂを下ベース枠３２の上面側に形成された２つの取付段部３２ｃ、３２ｃのうち、室内側の取付段部３２ｃに係合させている。また、下カバー材３７の下面側では、２つの取付段部３７ｂ、３７ｂのうち室外側の取付段部３７ｂを、下ベース枠３２の下面側に形成された２つの取付段部３２ｃ、３２ｃのうち室外側の取付段部３２ｃに係合させている。したがって、もう一方の取付け方に比べて、ふかし枠６下辺の見込方向幅が広くなるようにしている。なお、上ベース枠３１と上カバー材３６についても、同様に固定される。
【００２８】
図４に示すように、縦ベース枠３３と縦カバー材３８は、下ベース枠３２及び下カバー材３７と略同様に構成されている。すなわち、縦ベース枠３３は化粧縦枠４２の内周面と略面一状とされた内周面部３３ａと、縦カバー材３８を取付けるためのカバー材取付部３３ｂとを備えている。また、カバー材取付部３３ｂには内面側と外面側にぞれぞれ見込方向に２つの取付段部３３ｃ、３３ｃが形成されている。
【００２９】
縦カバー材３８には、縦ベース枠３３の室内側を覆う覆い部３８ｃを有すると共に、カバー材取付部３３ｂに係合する固着部３８ａ、３８ａが内面側と外面側にそれぞれ形成される。また、内面側の固着部３８ａには１つの取付段部３８ｂが形成されると共に、外面側の固着部３８ａには見込方向に２つの取付段部３８ｂが形成される。
【００３０】
縦カバー材３８も縦ベース枠３３に対して見込方向に２通りに係合することができる。実際には図４に示すように、縦カバー材３８の内面側では、取付段部３８ｂを縦ベース枠３３の内面側に形成された２つの取付段部３３ｃ、３３ｃのうち、室外側の取付段部３３ｃに係合させている。また、縦カバー材３８の外面側では、２つの取付段部３８ｂ、３８ｂのうち室内側の取付段部３８ｂを、縦ベース枠３３の外面側に形成された２つの取付段部３３ｃ、３３ｃのうち室内側の取付段部３３ｃに係合させている。
【００３１】
上ベース枠３１と下ベース枠３２及び縦ベース枠３３の見込方向幅は同じ寸法に形成され、また上カバー材３６と下カバー材３７及び縦カバー材３８の見込方向幅も同じ寸法に形成されるので、カバー材のベース枠に対する取付けによって、ふかし枠６の縦辺より上下辺の方が見込方向幅が大きくなる。
【００３２】
ここで、図７に示すように、化粧枠５は前述のとおり、化粧下枠４１を化粧縦枠４２よりも面取り部４２ａの寸法分だけ室外側にずらして枠組みするようにしている。化粧上枠４０についても同様に、化粧縦枠４２よりも室外側にずらして配置される。すなわち、化粧上枠４０と化粧下枠４１は化粧縦枠４２よりも室内側から見ると引っ込むように配置されている。
【００３３】
一方でふかし枠６は縦辺より上下辺の方が取付段部の間隔分だけ見込方向幅が大きい。見込方向幅の違いは、下ベース枠３２についてはその上面に形成された２つの取付段部３２ｃ、３２ｃの間隔によって定まる。上ベース枠３１及び縦ベース枠３３も、同様の間隔となるように２つの取付段部が形成されている。この間隔を化粧枠５の面取り部の高さと略同じとなるようにすることで、ふかし枠６の各辺の見込方向幅の違いにより化粧枠５における段差を吸収することができる。
【００３４】
したがって、上ベース枠３１と下ベース枠３２及び縦ベース枠３３の室外面を、それぞれ化粧上枠４０、化粧下枠４１、化粧縦枠４２の室内面に直接当接させてビス止めしても、上カバー材３６と下カバー材３７及び縦カバー材３８の室内面を面一状とすることができる。これにより、上ベース枠３１と化粧上枠４０との間及び下ベース枠３２と化粧下枠４１との間にスペーサ等を設ける必要がなく、直接当接した上でビス止めできるので、ふかし枠６を充分な強度で固定することができる。
【００３５】
次に、化粧枠５に対するふかし枠６の取付けについて説明する。図５には化粧枠５とふかし枠６の分解斜視図を示している。化粧枠５は化粧上枠４０と化粧下枠４１及び左右の化粧縦枠４２、４２を方形状に枠組みして構成されており、化粧上枠４０の室内端部には上ベース枠３１が、化粧下枠４１の室内端部には下ベース枠３２が、化粧縦枠４２の室内端部には縦ベース枠３３が、それぞれ取付けられる。
【００３６】
化粧上枠４０の室内側には上カバー材３６が、化粧下枠４１の室内側には下カバー材３７が、化粧縦枠４２の室内側には縦カバー材３８が、それぞれ取付けられ、四隅にはさらにそれぞれコーナーブロック３９が取付けられる。コーナーブロック３９は、カバー材の角部を構成してふかし枠６の内観を向上させる。
【００３７】
図６にはふかし枠６を組立てた状態の斜視図を示している。この図に示すように、ふかし枠６によって化粧枠５の各辺を室内側に延長している。また、前述のようにふかし枠６を構成するベース枠体３０とカバー材３５は、見込方向２つの取付段部を有していることにより、上カバー材３６と下カバー材３７はそれぞれ上ベース枠３１と下ベース枠３２に対して取付位置が室内側となるように固定され、縦カバー材３８は縦ベース枠３３に対して取付位置が室外側となるように固定されているので、これによって化粧上枠４０及び化粧下枠４１と化粧縦枠４２との間に生じる段差を吸収し、ふかし枠６の室内面はいずれも同一面上となるようにしている。
【００３８】
以上、本発明の実施形態について説明したが、本発明の適用はこの実施形態には限られず、その技術的思想の範囲内において様々に適用されうるものである。例えば、本実施形態ではベース枠とカバー材の両方に取付段部を見込方向に２つ設けているが、片方にのみ２つ設けてもよい。また、取付段部は見込方向に２つには限られず、それ以上設けるようにしてもよい。さらに、外窓５０の構成及び内窓１のふかし枠６以外の構成については本実施形態のような引き違いサッシには限られず、開き窓等としてもよい。
【図面の簡単な説明】
【００３９】
【図１】本実施形態における内窓を有したサッシ全体の縦断面図である。
【図２】本実施形態における内窓を有したサッシ全体の横断面図である。
【図３】内窓の下枠側に取付けられるふかし枠の拡大図である。
【図４】内窓の縦枠側に取付けられるふかし枠の拡大図である。
【図５】化粧枠とふかし枠の分解斜視図である。
【図６】ふかし枠を組立てた状態の斜視図である。
【図７】化粧枠の角部における斜視図である。
【符号の説明】
【００４０】
１    内窓
２    枠体
３    内障子
４    外障子
５    化粧枠
６    ふかし枠
３０    ベース枠体
３１    上ベース枠
３２    下ベース枠
３２ａ  内周面部
３２ｂ  カバー材取付部
３２ｃ  取付段部
３３    縦ベース枠
３３ａ  内周面部
３３ｂ  カバー材取付部
３３ｃ  取付段部
３５    カバー材
３６    上カバー材
３７    下カバー材
３７ａ  固着部
３７ｂ  取付段部
３７ｃ  覆い部
３８    縦カバー材
３８ａ  固着部
３８ｂ  取付段部
３８ｃ  覆い部
４０    化粧上枠
４１    化粧下枠
４１ａ  面取り部
４２    化粧縦枠
４２ａ  面取り部
５０    外窓
５１    外側枠体
【図１】
2008031669.tif 000003
【図２】
2008031669.tif 000004
【図３】
2008031669.tif 000005
【図４】
2008031669.tif 000006
【図５】
2008031669.tif 000007
【図６】
2008031669.tif 000008
【図７】
2008031669.tif 000009